(57)【特許請求の範囲】
【請求項１】
複数の携帯電話機へ音楽情報を配信する音楽情報配信システムと、多数のカラオケ演奏曲のうちから選択される所定のカラオケ演奏曲を出力させるそれぞれ形式の異なる第１のカラオケシステム及び第２のカラオケシステムとの連携システムであって、
前記音楽情報配信システム、前記第１のカラオケシステム、及び前記第２のカラオケシステムそれぞれの利用結果を個別のポイントに換算する利用結果換算手段と、
前記音楽情報配信システムの構成要素としての映像表示装置、前記第１のカラオケシステムの構成要素としての映像表示装置、及び前記第２のカラオケシステムの構成要素としての映像表示装置に共通して表示される簡易的な人型映像を制御すると共に、前記利用結果換算手段により換算される個別のポイントと引き換えに前記人型映像における各ポイントに対応する個別の部位に適用される可変パーツの選択を可能とする制御を行う人型映像制御手段を有するものであることを特徴とする連携システム。
【請求項２】
前記利用結果換算手段は、前記音楽情報配信システムにおける前記音楽情報のダウンロード数に応じて該音楽情報配信システムに対応する前記ポイントを加算するものである請求項１の連携システム。
【請求項３】
前記利用結果換算手段は、前記第１のカラオケシステム及び第２のカラオケシステムにおける前記カラオケ演奏曲の演奏曲数に応じて前記第１のカラオケシステム及び第２のカラオケシステムそれぞれに対応する前記ポイントを加算するものである請求項１又は２の連携システム。
【請求項４】
前記利用結果換算手段は、前記第１のカラオケシステム及び第２のカラオケシステムにおける前記カラオケ演奏曲の演奏時間に応じて前記第１のカラオケシステム及び第２のカラオケシステムそれぞれに対応する前記ポイントを加算するものである請求項１から３の何れかの連携システム。
【発明の詳細な説明】
【技術分野】
【０００１】
本発明は、複数の携帯電話機へ音楽情報を配信する音楽情報配信システムと、多数のカラオケ演奏曲のうちから選択される所定のカラオケ演奏曲を出力させるカラオケシステムとの連携システムに関する。
【背景技術】
【０００２】
所定の通信回線を介してセンタ装置から複数の携帯電話機へコンテンツを配信するコンテンツ配信システムが知られている。例えば、複数の携帯電話機へ着信メロディ情報等の音楽情報を配信する音楽情報配信システムがそれである。斯かるコンテンツ配信システムは、近年における通信技術の向上に伴いコンテンツビジネスの中核として更なる発展が期待されている。
【０００３】
斯かるコンテンツ配信システムに関して、複数種類のコンテンツ配信システムを連携させる技術が提案されている。例えば、特許文献１に記載された携帯端末の通信ネットワーク利用システムがそれである。この技術によれば、複数種類のコンテンツ配信システム間でポイントを仮想の通貨のように機能させることで、所定のコンテンツ配信システムのポイントが残りわずかとなった場合に、他のコンテンツ配信システムの余剰ポイントを使う等といった利用が可能とされ、上記複数種類のコンテンツ配信システムの利便性を向上させることができる。
【０００４】
【特許文献１】特開２００３−１２３０１０号公報
【０００５】
しかし、前記従来の技術は、複数種類のコンテンツ配信システムにて共通のポイントを利用することで利便性を向上させるものではあったが、顧客にとってそれ以外に何ら利点はなく、コンテンツ配信システムの利用を積極的に促進し得るものではなかった。
【０００６】
ところで、多数のカラオケ演奏曲のうちから選択される所定のカラオケ演奏曲を出力させるカラオケ装置が知られている。このカラオケ装置は、例えば、カラオケボックス等に設置されて利用されるものであり、所定の音楽情報に基づいて上記カラオケ演奏曲の演奏音を出力させると共に、そのカラオケ演奏曲の歌詞情報を含む映像をその出力に同期して画面に表示させることで、所望の歌のカラオケ演奏を楽しむことができる。
【０００７】
斯かるカラオケ装置を運用するためのカラオケシステムの一態様として、所定の通信回線を利用してカラオケサービスを提供する通信カラオケシステムが普及している。この通信カラオケシステムは、所定の通信回線を介してセンタ装置から複数のカラオケ装置へカラオケ演奏曲を出力させるためのカラオケ情報を配信するものである。このようにして配信されるカラオケ情報は、上記演奏音を出力させるための音楽情報を含むものであり、前述した携帯電話機を配信対象とする音楽情報配信システムと様々な共通点を有する。本発明者は、前記音楽情報配信システム及びカラオケシステムの利用を促進する技術を模索する過程で斯かる共通点に着目し、それらを連携させることで相補的に利用を促進する技術を発案するに至った。
【発明の開示】
【発明が解決しようとする課題】
【０００８】
本発明は、以上の事情を背景として為されたものであり、その目的とするところは、音楽情報配信システム及びカラオケシステムの利用を相補的に促進する連携システムを提供することにある。
【課題を解決するための手段】
【０００９】
斯かる目的を達成するために、本発明の要旨とするところは、複数の携帯電話機へ音楽情報を配信する音楽情報配信システムと、多数のカラオケ演奏曲のうちから選択される所定のカラオケ演奏曲を出力させるそれぞれ形式の異なる第１のカラオケシステム及び第２のカラオケシステムとの連携システムであって、前記音楽情報配信システム、前記第１のカラオケシステム、及び前記第２のカラオケシステムそれぞれの利用結果を個別のポイントに換算する利用結果換算手段と、前記音楽情報配信システムの構成要素としての映像表示装置、前記第１のカラオケシステムの構成要素としての映像表示装置、及び前記第２のカラオケシステムの構成要素としての映像表示装置に共通して表示される簡易的な人型映像を制御すると共に、前記利用結果換算手段により換算される個別のポイントと引き換えに前記人型映像における各ポイントに対応する個別の部位に適用される可変パーツの選択を可能とする制御を行う人型映像制御手段を有することを特徴とするものである。
【発明の効果】
【００１０】
このようにすれば、前記音楽情報配信システム、前記第１のカラオケシステム、及び前記第２のカラオケシステムそれぞれの利用結果を個別のポイントに換算する利用結果換算手段と、前記音楽情報配信システムの構成要素としての映像表示装置、前記第１のカラオケシステムの構成要素としての映像表示装置、及び前記第２のカラオケシステムの構成要素としての映像表示装置に共通して表示される簡易的な人型映像を制御すると共に、前記利用結果換算手段により換算される個別のポイントと引き換えに前記人型映像における各ポイントに対応する個別の部位に適用される可変パーツの選択を可能とする制御を行う人型映像制御手段を有することから、前記各システムの利用結果がそれぞれ個別の部位におけるパーツの選択に反映される共通の人型映像を設定することで、その人型映像の各部位に適用される可変パーツをより充実したものとすべく、前記音楽情報配信システム、第１のカラオケシステム、及び第２のカラオケシステムそれぞれの利用促進が実現される。すなわち、音楽情報配信システム及びカラオケシステムの利用を相補的に促進する連携システムを提供することができる。
【００１４】
ここで、好適には、前記利用結果換算手段は、前記音楽情報配信システムにおける前記音楽情報のダウンロード数に応じてその音楽情報配信システムに対応する前記ポイントを加算するものである。このようにすれば、前記音楽情報配信システムの利用結果を実用的な態様で前記人型映像に反映させられるという利点がある。
【００１５】
また、好適には、前記利用結果換算手段は、前記第１のカラオケシステム及び第２のカラオケシステムにおける前記カラオケ演奏曲の演奏曲数に応じて前記第１のカラオケシステム及び第２のカラオケシステムそれぞれに対応する前記ポイントを加算するものである。このようにすれば、前記カラオケシステムの利用結果を実用的な態様で前記人型映像に反映させられるという利点がある。
【００１６】
また、好適には、前記利用結果換算手段は、前記第１のカラオケシステム及び第２のカラオケシステムにおける前記カラオケ演奏曲の演奏時間に応じて前記第１のカラオケシステム及び第２のカラオケシステムそれぞれに対応する前記ポイントを加算するものである。このようにすれば、前記カラオケシステムの利用結果を実用的な態様で前記人型映像に反映させられるという利点がある。
【００１９】
以下、本発明の好適な実施例を図面に基づいて詳細に説明する。
【実施例】
【００２０】
図１は、本発明の一実施例である音楽情報配信システム４とカラオケシステム６、８との連携システム１０について説明する図である。カラオケボックス、スナック、旅館等の店舗、或いは一般家庭等にそれぞれ設置された複数（図１では１つを例示している）のカラオケ装置１２は、公衆電話回線等による通信回線１４を介してカラオケサービス提供会社のセンタ装置であるカラオケサーバ１６に接続されている。このカラオケサーバ１６は、カラオケ情報をはじめとするデジタルコンテンツ（Digital Content）の保管や入出力管理等を行うサーバであり、上記カラオケ装置１２によって常に新しい曲が演奏可能とされるように、上記通信回線１４を介して複数のカラオケ装置１２に定期的に新譜カラオケ情報等の配信を行う。また、上記カラオケサービス提供会社によって運用される音楽情報配信サーバ１８が上記通信回線１４に接続されている。この音楽情報配信サーバ１８は、上記カラオケサーバ１６と同様に、着信メロディ情報等の音楽情報をはじめとするデジタルコンテンツの保管や入出力管理等を行うサーバであり、各地に設けられた複数（図１では１つを例示している）の中継基地局２２を介して接続された複数（図１では２つを例示している）の携帯電話機２０へ音楽情報の配信を行うと共に、上記通信回線１４を介して上記カラオケサーバ１６やカラオケ装置１２との間で情報の送受信が可能とされている。また、上記カラオケ装置１２とは型式の異なる、それぞれ出力装置２６に接続されて用いられる複数（図１では１つを例示している）の通信式カラオケ装置２４が上記通信回線１４に接続され、上記カラオケサーバ１６との間で電子的な情報の通信が可能とされている。この図１に示す連携システム１０において、上記通信回線１４、音楽情報配信サーバ１８、中継基地局２２、及び複数の携帯電話機２０から音楽情報配信システム４が、上記通信回線１４、カラオケサーバ１６、及び複数のカラオケ装置１２から第１のカラオケシステム６が、上記通信回線１４、カラオケサーバ１６、及び複数のカラオケ装置２４から第２のカラオケシステム８が、それぞれ構成されている。
【００２１】
図２は、上記第１のカラオケシステム６におけるカラオケ演奏端末であるカラオケ装置１２の構成を例示するブロック線図である。この図２に示すように、上記カラオケ装置１２は、ＣＲＴ（Cathode-ray Tube）等の映像表示装置３０と、映像情報デコーダ３２と、ビデオミキサ３４と、アンプミキサ３６と、スピーカ３８と、マイクロフォン４０と、操作パネル４２と、中央演算処理装置であるＣＰＵ４４と、読出専用メモリであるＲＯＭ４６と、随時書込読出メモリであるＲＡＭ４８と、記憶装置であるハードディスク５０と、モデム５２と、ＣＲＴコントローラ５６と、上記操作パネル４２等の入出力信号を処理する入出力インターフェイス５８と、音源であるシンセサイザ６０と、リモコン装置６４等の入力装置からのリモコン信号を受信するためのリモコン受信部６２とを、備えて構成されている。
【００２２】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記リモコン装置６４等により所定のカラオケ演奏曲が選曲された場合、その選曲されたカラオケ演奏曲を上記ＲＡＭ４８に設けられた予約曲テーブルに登録したり、その予約曲テーブルの演奏順に従って上記ハードディスク５０から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記ＣＲＴコントローラ５６へ送ったり、選曲時には曲名文字映像を生成して上記ＣＲＴコントローラ５６へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１４を介した前記カラオケサーバ１６との間の情報通信制御等の基本的な制御を実行すると共に、前記音楽情報配信サーバ１８等に対して後述する利用結果通知制御を行う。
【００２３】
前記操作パネル４２は、前記カラオケ装置１２の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１２には、前記操作パネル４２の一部機能を遠隔で実行するための入力装置として機能するリモコン装置６４が備えられており、前記リモコン受信部６２は、そのリモコン装置６４から送信されるリモコン信号を受信して前記ＣＰＵ４４へ供給する。また、後述する図４に示すように、リモコン送信部１２８を備えると共に所定のアプリケーションがインストールされた携帯電話機２０も同様に入力装置として機能し、上記リモコン受信部６２を介して選曲入力をはじめとする入力処理を行い得る。また、所定の映像を表示させると共に利用者の接触操作に応じて前記カラオケ装置１２への入力が可能なタッチパネルディスプレイを備えた図示しない電子早見本装置等も同様に本実施例のカラオケ装置１２の入力装置として用いられる。
【００２４】
前記映像情報デコーダ３２は、利用者が歌詞を参照しながら歌を歌う際に前記ハードディスク５０に記憶された背景映像情報に基づいて所定の背景映像を再生（デコード）する背景映像再生装置である。この背景映像情報は、例えばＭＰＥＧ（Moving Picture Experts Group）形式のデータであり、そのＭＰＥＧデータに基づいて前記映像情報デコーダ３２により再生された背景映像は、前記ビデオミキサへ送られる。また、前記ＣＲＴコントローラ５６は、前記ＣＰＵ４４において生成された歌詞文字映像等の文字映像（テロップ）を出力する文字映像出力装置であり、前記ビデオミキサ３４は、前記ＣＰＵ４４において生成され且つ前記ＣＲＴコントローラ５６から出力される文字映像等と、前記映像情報デコーダ３２により再生される背景映像とを合成して前記映像表示装置３０に表示させる映像合成装置である。
【００２５】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。そのアンプミキサ３６では、送られてきた音楽信号と前記マイクロフォン４０を介して入力される利用者の歌声とがミキシングされ、それらの信号が電気的に増幅されて前記スピーカ３８から出力される。
【００２６】
前記モデム５２は、前記カラオケ装置１２を公衆電話回線等による通信回線１４に接続するための装置であり、前記ＣＰＵ４４から出力されるディジタル信号をアナログ信号に変換して前記通信回線１４に送り出すと共に、その通信回線１４を介して伝送されるアナログ信号をディジタル信号に変換して前記ＣＰＵ４４に供給する処理を行う。すなわち、前記カラオケ装置１２は、前記通信回線１４を通じて各種情報の送受信を実行し得る通信カラオケ装置である。なお、このモデム５２は、マスターコマンダとして機能するカラオケ装置１２には必要とされるが、そのカラオケ装置１２と図示しないＬＡＮ等によって接続される前記カラオケサーバ１６との間で情報の通信を行わないカラオケ装置１２には必ずしも設けられなくともよい。
【００２７】
前記ハードディスク５０には、カラオケ演奏曲を出力させるための多数のカラオケ情報を記憶するカラオケデータベース等の各種データベースが設けられている。カラオケボックス等の店舗にそれぞれ備えられた複数のカラオケ装置１２のうちマスターコマンダとして機能するカラオケ装置１２は、前記モデム５２を介して前記通信回線１４に接続されており、前記複数のカラオケ装置１２によって常に新しい曲が演奏可能とされるように、随時新たなカラオケ情報等が前記カラオケサーバ１６から前記通信回線１４を介して配信され、前記ハードディスク５０のカラオケデータベース等に記憶される。また、そのようにして前記カラオケサーバ１６から情報を取得したカラオケ装置１２と、その他のカラオケ装置１２との間でＬＡＮ等を介した通信が行われることにより、各カラオケ装置１２のハードディスク５０に記憶される情報が共有され、そのハードディスク５０におけるカラオケデータベース等の内容が等価なものとされる。
【００２８】
図３は、前記第２のカラオケシステム８におけるカラオケ演奏端末であるカラオケ装置２４の構成を説明する図である。この図３に示すように、前記カラオケ装置２４は、例えばＣＲＴ（Cathode-Ray Tube）やＰＤＰ（Plasma Display Panel）等の映像表示機能及び音声出力機能を有する出力装置２６に有線又は無線により接続され、その出力装置２６を音声出力装置としてＣＤ（Compact Disc）２８等の記憶媒体に収録された複数の演奏曲を個々に出力させると共に、上記出力装置２６を映像出力装置としてその演奏曲に対応する歌詞文字映像を表示させることで、上記ＣＤ２８等に記憶された演奏曲のカラオケ演奏を可能とするものである。また、上記通信回線１４を介して上記カラオケサーバ１６からデジタルコンテンツとして所定の演奏曲のカラオケ情報を取得し、そのカラオケ情報に基づいて演奏曲の出力及び歌詞文字映像の表示を行う。なお、本実施例では、演奏出力及び映像表示何れをも上記出力装置２６を介して行う態様について説明するが、映像表示のみ上記出力装置２６を介して行い、演奏出力に関しては上記カラオケ装置２４の処理により行う態様も考えられる。斯かる態様では、音声出力装置であるスピーカ等が以下に詳述する構成に加えて上記カラオケ装置２４に設けられる。
【００２９】
図３に示すように、前記カラオケ装置２４は、中央演算処理装置であるＣＰＵ６６と、読出専用メモリであるＲＯＭ６８と、随時書込読出メモリであるＲＡＭ７０と、操作パネル７２と、リモコン受信部７４と、上記ＣＤ２８を収容するためのＣＤスロット７６と、ＣＤ駆動部７８と、ＣＤ読取部８０と、ＣＤ再生部８２と、ボーカルキャンセラ８４と、モデム８６と、ＭＩＤＩ音源８８と、演奏調整部９０と、音声入力装置であるマイクロフォン９２と、Ａ／Ｄコンバータ９４と、アンプミキサ９６と、ビデオボード９８と、上記出力装置２６に接続するためのインターフェイス１００とを、備えて構成されている。
【００３０】
上記ＣＰＵ６６は、上記ＲＡＭ７０の一時記憶機能を利用しつつ上記ＲＯＭ６８に予め記憶された所定のプログラムに基づいて電子情報を処理・制御する所謂コンピュータであり、上記ＣＤスロット７６に収容されたＣＤ２８の再生を行ったり、上記ＭＩＤＩ音源８８によりＭＩＤＩデータに基づく演奏曲の出力（再生）を行ったり、斯かる演奏曲の再生に同期してその演奏曲の歌詞情報に基づく歌詞文字映像（歌詞テロップ）を生成したり、それら演奏及び映像を前記出力装置２６を介して出力させたり、前記通信回線１４を介した前記カラオケサーバ１６等との間の情報通信制御等の基本的な制御に加え、前記音楽情報配信サーバ１８等に対して後述する利用結果通知制御を行う。
【００３１】
前記操作パネル７２は、前記ＣＤ再生部８２やＭＩＤＩ音源８８等により再生される演奏曲の音程を調整したり、演奏と歌との音量バランスを調整したり、その他、エコー、音量、トーン等の各種演奏調整を行ったり、演奏が所望される演奏曲の選曲番号を入力する等、前記カラオケ装置２４によるカラオケ演奏に関する様々な操作を行うための操作ボタン（スイッチ）或いはつまみを備えた入力装置である。また、前記カラオケ装置２４には、前記操作パネル７２の一部機能を遠隔で実行するための入力装置として機能するリモコン装置１０２が備えられており、前記リモコン受信部７４は、そのリモコン装置１０２から送信されるリモコン信号を受信して前記ＣＰＵ６６へ供給する。
【００３２】
前記ＣＤ駆動部７８は、前記ＣＤスロット７６に収容されたＣＤ２８をその軸心まわりに回転させるためにスピンドル（駆動軸）を回転させるスピンドルモータを主体とするものであり、前記ＣＰＵ６６からの指令に従い所定の回転速度で前記ＣＤ２８を回転させる。また、前記ＣＤ読取部８０は、前記ＣＤ２８へレーザー光を照射すると共に反射光を受光してそのＣＤ２８の記憶内容を読み取る光学ヘッド（pick up head）と、その光学ヘッドを前記ＣＤ２８の径方向に往復駆動するスライダモータとを、備えており、記憶媒体であるＣＤ２８に記憶された情報を読み取る読取手段（読取装置）として機能する。前記ＣＤ再生部８２は、前記ＣＤ読取部８０により読み取られた演奏データに基づいて音楽を演奏（再生）する演奏手段であり、前記ＣＤ２８に収録された曲の演奏では、前記ＣＤスロット７６に収容されたＣＤ２８が前記ＣＤ駆動部７８により回転させられ、そのＣＤ２８の記憶内容である演奏データが前記ＣＤ読取部８０により読み取られて、その演奏データに基づく演奏が前記ＣＤ再生部８２により再生される。
【００３３】
前記ボーカルキャンセラ８４は、前記ＣＤ再生部８２により再生された演奏に含まれるボーカルパートを除去（キャンセル）する。具体的には、入力される音楽データの周波数帯域中央における所定の周波数帯域を除去して出力する。斯かる処理により、前記ＣＤ再生部８２により再生された演奏からオリジナルアーティストの歌唱が除かれ、楽器等の演奏音のみから成る演奏が前記ボーカルキャンセラ８４から出力される。
【００３４】
前記モデム８６は、前記カラオケ装置２４を前記通信回線１４に接続するための装置であり、前記ＣＰＵ６６から出力されるディジタル信号をアナログ信号に変換して前記通信回線１４に送り出すと共に、その通信回線１４を介して伝送されるアナログ信号をディジタル信号に変換して前記ＣＰＵ６６に供給する処理を行う。また、前記操作操作パネル７２やリモコン装置１０２等を介して所定の選曲番号が入力された場合、前記モデム８６を介して前記カラオケサーバ１６からその選曲番号に対応する演奏曲のＭＩＤＩ（Musical Instrument Digital Interface）データ及び歌詞情報を含むカラオケ情報がダウンロードされる。前記ＭＩＤＩ音源８８は、そのようにして取得されたＭＩＤＩデータに基づいて音楽を演奏（再生）する演奏手段である。また、このようにして前記カラオケサーバ１６からカラオケ情報が取得された場合、その選曲履歴が前記ＲＡＭ７０に設けられた選曲履歴データベースに記憶されるようになっている。
【００３５】
前記演奏調整部９０は、前記ボーカルキャンセラ８４又はＭＩＤＩ音源８８から出力される演奏に関して種々の調整を行う。具体的には、前記操作パネル７２やリモコン装置１０２等を介しての操作に応じて演奏曲の音程、音量、演奏速度、エコー、トーン等の各種調整を行う。また、前記アンプミキサ９６は、この演奏調整部９０により調整された演奏（音楽データ）と、前記Ａ／Ｄコンバータ９４を介して前記マイクロフォン９２から入力された音声情報とを合成（ミキシング）する音声合成装置であり、前記カラオケ装置２４によるカラオケ演奏において前記マイクロフォン９２により入力された利用者の歌唱（歌声）は、このアンプミキサ９６により前記演奏と合成され、前記インターフェイス１００を介して前記出力装置２６へ送られ、その出力装置２６におけるスピーカ等から出力される。なお、前記マイクロフォン９２は、好適には、前記カラオケ装置２４に着脱可能に備えられたものであり、或いは赤外線等により無線接続されるものであってもよい。
【００３６】
前記ビデオボード９８は、前記ＣＰＵ６６からの指令に応じて映像表示（描画）に関する処理を行う。具体的には、前記インターフェイス１００を介して前記出力装置２６の画面に所定の映像を表示させる。例えば、前記ＣＰＵ６６により生成された歌詞文字映像を表示させると共に、その歌詞文字映像を経時的に色替えしていく等の歌詞文字映像表示処理や、その歌詞文字映像の背面側レイヤに所定の背景映像を表示させる等の背景映像表示処理等、前記カラオケ装置２４によるカラオケ演奏に際しての種々の映像表示を制御する。
【００３７】
図４は、前記音楽情報配信システム４における音楽情報取得端末である携帯電話機２０の構成を例示するブロック線図である。この図４に示す制御部１０４は、ＲＯＭ１０６に予め記憶されたプログラムに従って入力信号を処理するマイクロコンピュータであり、所定の文字ボタン等を備えた操作部１０８からの入力に従って文字入力が実行されるように制御したり、その操作部１０８から入力された電話番号に従って通信或いは通話チャンネルを成立させると共に相互の通信或いは通話が可能となるように制御したり、その操作部１０８から入力されたＵＲＬに従って所定のウェブサイトにアクセスしたり、メールの作成及び送受信を制御する等の基本的な制御を実行する。また、前記携帯電話機２０にはフラッシュＲＯＭ等の記憶部１２６が備えられており、音楽情報や映像情報をはじめとする種々の情報を記憶し得るようになっている。
【００３８】
前記携帯電話機２０の通話状態においては、アンテナ１１２を介して送受信部１１４に受けた通話信号等がモデム部１１６を介して音声コーディック部１１８においてデジタルコード信号から音声信号に変換され、アナログフロントエンド１２０により音声出力装置であるスピーカ１２２が駆動されて音声が出力される。同時に、音声入力装置であるマイクロフォン１２４により音声から変換された音声信号が上記アナログフロントエンド１２０を介して上記音声コーディック部１１８に送られてそこでデジタル信号に変換され、上記モデム部１１６、送受信部１１４、及びアンテナ１１２を介して送信される。また、通信状態において、上記制御部１０４は、上記操作部１０８から入力された信号を通信先へ送信すると同時に、通信先から受信された信号を表示部１１０に表示させる。また、他の通信端末からの着信があったと判定される場合には、記憶部１２６に設けられた着信メロディデータベース１３０に予め記憶された音楽情報としてのメロディ情報を読み出し、その着信メロディ情報に基づいて音源部１３２により所定のメロディ（呼出音）を発生させて上記スピーカ１２２から出力させたり、呼出音非出力モードにおいては図示しないバイブレータを駆動させて振動を発生させたりする。ここで、上記着信メロディ情報は、例えば、ＭＩＤＩ形式の音楽情報であり、上記音源部１３２は、そのＭＩＤＩデータに基づいて演奏音を発生させるＭＩＤＩ音源である。
【００３９】
図４に示すように、前記制御部１０４には、所定のアプリケーションがインストールされることでリモコン信号送信手段１３４及び映像表示制御手段１３６が機能的に備えられている。このリモコン信号送信手段１３４は、前記カラオケ装置１２に対して選曲入力や各種調整を行うためのリモコン信号をリモコン送信部１２８を介して送信する。このように、前記携帯電話機２０は、前記第１のカラオケシステム６において前記カラオケ装置１２の操作パネル４２の一部機能を遠隔で実行するための入力装置として機能する。また、前記第２のカラオケシステム８において前記カラオケ装置２４に対して入力を行う入力装置としても用いられ得る。また、映像表示制御手段１３６は、上記表示部１１０に表示される種々の映像（画像）の制御を行う。また、後述するように、図１０に示すようなアバタ１７６を上記表示部１１０に表示させる。
【００４０】
図５は、前記カラオケサーバ１６の構成を、図６は、前記音楽情報配信サーバ１８の構成をそれぞれ説明する図である。これらの図に示すように、本実施例では、説明の便宜上、前記カラオケサーバ１６及び音楽情報配信サーバ１８が中央演算処理装置等の要素を等しくする同一型式のサーバである態様について説明する。すなわち、前記カラオケサーバ１６及び音楽情報配信サーバ１８は、中央演算処理装置であるＣＰＵ１４０、読出専用メモリであるメモリであるＲＯＭ１４２、及び随時書込読出メモリであるＲＡＭ１４４を備え、上記ＣＰＵ１４０によりＲＡＭ１４４の一時記憶機能を利用しつつＲＯＭ１４２に予め記憶されたプログラムに従って信号処理を行う所謂ノイマン式コンピュータである。また、ＣＲＴ等の映像表示装置１４６と、その映像表示装置１４６による映像の表示を制御するためのＣＲＴコントローラ１４８と、キーボード等の入力装置１５０と、その入力装置１５０による入力を処理するためのインターフェイス１５２と、上記ＣＰＵ１４０等を前記通信回線１４に接続するためのモデム１５４と、記憶装置であるハードディスク１５６とを、備えて構成されている。
【００４１】
また、図５に示すように、前記カラオケサーバ１６のハードディスク１５６には、前記第１のカラオケシステム６におけるカラオケ装置１２及び第２のカラオケシステム８におけるカラオケ装置２４に配信するための多数（例えば数万曲）のカラオケ情報を記憶するためのカラオケデータベース１５８が設けられている。前述のように、前記カラオケサーバ１６は、前記通信回線１４を介して前記複数のカラオケ装置１２に接続されており、それら複数のカラオケ装置１２によって常に新しい曲が演奏可能とされるように、前記カラオケデータベース１５８から随時新たなカラオケ情報を前記通信回線１４を介して送信できるようになっている。また、前記カラオケサーバ１６は、前記通信回線１４を介して前記複数のカラオケ装置２４に接続されており、それらのカラオケ装置２４からの配信要求に応じて前記前記カラオケデータベース１５８から要求の対象であるカラオケ情報を読み出して要求元のカラオケ装置２４へ送信するようになっている。なお、本実施例では、前記第１のカラオケシステム６及び第２のカラオケシステム８で同一の形式のカラオケ情報を用いる態様について説明するが、それぞれ別個の形式のカラオケ情報を用いる態様も考えられる。斯かる場合には、前記カラオケサーバ１６のハードディスク１５６にそれら複数種類のカラオケ情報を記憶する複数のカラオケデータベースが用意されるか、或いは複数のカラオケサーバがそれぞれ個別に設けられる。
【００４２】
また、図６に示すように、前記音楽情報配信サーバ１８のハードディスク１５６には、前記携帯電話機２０へ配信するための多数（例えば数千曲）の着信メロディ情報を記憶する着信メロディデータベース１６０と、所定の映像表示装置に簡易的な人型映像を表示させるための情報を記憶する人型映像データベース１６２と、顧客別に種々の情報を記憶する顧客別データベース１６４とが設けられている。前記音楽情報配信サーバ１８は、前記通信回線１４及び中継基地局２２を介して前記複数の携帯電話機２０に接続され、それら携帯電話機２０からの要求に応じて前記着信メロディデータベース１６０に記憶された着信メロディ情報を配信する。また、上記人型映像データベース１６２に記憶される情報は、例えば、前記カラオケ装置１２の映像表示装置３０、前記カラオケ装置２４と接続された出力装置２６、或いは前記携帯電話機２０の表示部１１０等の映像表示装置に後述する図１０に示すような簡易的な人型映像であるアバタ（avatar）１７６を表示させるための情報である。また、上記顧客別データベース１６４には、後述する図１１に示すように、前記音楽情報配信システム４、第１のカラオケシステム６、及び第２のカラオケシステム８に共通して定められる顧客の識別番号、顧客の氏名、顧客のアバタ１７６を変化させるためのポイント、及び顧客のアバタ１７６における個別の部位に適用される可変パーツの情報等が顧客毎に記憶されている。なお、この顧客別データベース１６４に記憶される顧客の識別番号は、前記音楽情報配信システム４における携帯電話機２０の識別番号や、第２のカラオケシステム８におけるカラオケ装置２４の識別番号と関連付けられたものであり、その関連付けに関する情報が上記顧客別データベース１６４に共に記憶されていてもよい。
【００４３】
図７は、前記連携システム１０に備えられた制御機能の要部を説明する機能ブロック線図である。この図７に示す利用結果通知手段１６６は、前記カラオケ装置１２のＣＰＵ４４と、前記カラオケ装置２４のＣＰＵ６６とに機能的に備えられたものである。また、配信手段１６８、利用結果換算手段１７０、人型映像制御手段１７２、及び人型映像管理手段１７４は、前記音楽情報配信サーバ１８のＣＰＵ１４０に機能的に備えられたものである。すなわち、本実施例では、斯かる音楽情報配信サーバ１８により上記アバタ１７６の管理及び出力等の制御を行う態様について説明する。
【００４４】
前記カラオケ装置１２のＣＰＵ４４に備えられた利用結果通知手段１６６は、前記第１のカラオケシステム６における前記カラオケ装置１２の利用結果を前記音楽情報配信サーバ１８に通知する。例えば、前記携帯電話機２０を入力装置として用いた前記カラオケ装置１２への入力に応じて顧客の識別情報に対応するその携帯電話機２０の識別情報を含む前記カラオケ装置１２の利用結果を前記音楽情報配信サーバ１８に通知する。この利用結果は、例えば、前記カラオケ装置１２における前記カラオケ演奏曲の演奏曲数や演奏時間等の情報を含むものであり、好適には、顧客がカラオケボックス等において所定のカラオケ装置１２を用いたカラオケ演奏を終えたことが判断された時点でその演奏に関する情報が前記カラオケサーバ１６で処理された後、そのカラオケサーバ１６から前記音楽情報配信サーバ１８へ送信される。
【００４５】
前記カラオケ装置２４のＣＰＵ６６に備えられた利用結果通知手段１６６は、前記第２のカラオケシステム８における前記カラオケ装置２４の利用結果を前記音楽情報配信サーバ１８に通知する。例えば、前記カラオケサーバ１６のハードディスク１５６に設けられたカラオケデータベース１５８からのカラオケ情報の取得（ダウンロード）に応じて顧客の識別情報に対応する前記カラオケ装置２４の識別情報を含むそのカラオケ装置２４の利用結果を前記音楽情報配信サーバ１８に通知する。この利用結果は、例えば、前記カラオケ装置２４における前記カラオケ演奏曲の演奏曲数や演奏時間等の情報を含むものである。また、前記第１のカラオケシステム６に関して上述したように、前記カラオケ装置２４を用いたカラオケ演奏を終えたことが判断された（電源が切られた）時点でその演奏に関する情報が前記カラオケサーバ１６で処理された後、そのカラオケサーバ１６から前記音楽情報配信サーバ１８へ送信されるものであってもよい。また、前記カラオケサーバ１６からカラオケ情報を取得してカラオケ演奏を行った利用結果に加えて、或いは別個に、前記ＣＤ２８を用いてカラオケ演奏を行った利用結果を前記音楽情報配信サーバ１８に通知する態様も考えられる。
【００４６】
前記配信手段１６８は、前記携帯電話機２０からの要求に応じてその携帯電話機２０へ所定の着信メロディ情報を配信する。具体的には、前記携帯電話機２０からの着信メロディ配信要求があった場合、顧客の識別情報に対応するその携帯電話機２０の識別情報（例えばｕｉｄ等）を取得すると共に、前記ハードディスク１５６に設けられた着信メロディデータベース１６０から要求された着信メロディ情報を読み出してその要求元の携帯電話機２０へ前記通信回線１４等を介して配信する。
【００４７】
前記利用結果換算手段１７０は、前記音楽情報配信システム４、第１のカラオケシステム６、及び第２のカラオケシステム８それぞれの利用結果をポイントに換算する。例えば、前記音楽情報配信システム４を利用した所定の顧客による前記着信メロディ情報のダウンロード数に応じて、そのダウンロードを行った携帯電話機２０の識別番号に対応する顧客に関して前記顧客別データベース１６４に記憶されたポイントを所定ポイント（例えば１曲につき１０ポイント）加算する。また、前記第１のカラオケシステム６を利用した前記カラオケ装置１２の利用結果に応じて、そのカラオケ装置１２において入力装置として用いられた携帯電話機２０の識別番号に対応する顧客に関して前記顧客別データベース１６４に記憶されたポイントを所定ポイント加算する。例えば、前記カラオケ演奏曲の演奏曲数に比例するポイント（例えば１曲につき１ポイント）を加算する。また、前記カラオケ演奏曲の演奏時間に比例するポイント（例えば１時間につき１０ポイント）を加算する。また、前記第２のカラオケシステム８を利用した前記カラオケ装置２４の利用結果に応じて、そのカラオケ装置２４の識別番号に対応する顧客に関して前記顧客別データベース１６４に記憶されたポイントを所定ポイント加算する。例えば、前記カラオケ演奏曲の演奏曲数に比例するポイント（例えば１曲につき１ポイント）を加算する。また、前記カラオケ演奏曲の演奏時間に比例するポイント（例えば１時間につき１０ポイント）を加算する。また、図１１は、前記音楽情報配信サーバ１８のハードディスク１５６に設けられた顧客別データベース１６４の記憶内容を例示する図であり、この図１０に示すように、前記利用結果換算手段１７０は、好適には、前記音楽情報配信システム４に対応して頭部ポイント、第１のカラオケシステム６に対応して胴部ポイント、第２のカラオケシステム８に対応して脚部ポイントというように、それら音楽情報配信システム４、第１のカラオケシステム６、及び第２のカラオケシステム８それぞれの利用結果をそれぞれ別々のポイントとして換算して、前記顧客別データベース１６４に個別に記憶する。
【００４８】
図７に示す人型映像制御手段１７２は、所定の映像表示装置に表示される簡易的な人型映像例えば図８に示すようなアバタ１７６を制御する。ここで、アバタとは一般に、インターネットにおけるチャット等に際して利用者の分身的な意味合いで表示されるキャラクタであり、そのチャットにおける会話の流れに応じてその表情を変化させること等により、利用者の心象を視覚的に相手に伝えるコミュニケーションの補助ツールとして用いられるものであるが、本実施例では、前記音楽情報配信システム４、第１のカラオケシステム６、及び第２のカラオケシステム８等において利用される。すなわち、前記人型映像制御手段１７２は、前記音楽情報配信システム４における前記携帯電話機２０の表示部１１０、第１のカラオケシステム６における前記カラオケ装置１２の映像表示装置３０、或いは第２のカラオケシステム８において前記カラオケ装置２４に接続された出力装置２６等に表示されるアバタ１７６を制御する。
【００４９】
図８は、前記人型映像制御手段１７２により出力される簡易的な人型映像であるアバタ１７６を例示する図である。この図８に示すように、前記人型映像制御手段１７２により出力されるアバタ１７６は、複数種類（図８では３種類）の部位すなわち頭部１７６ａ、胴部１７６ｂ、及び脚部１７６ｃに区分することができ、前記人型映像制御手段１７２は、これら各部位を単位として前記アバタ１７６の表示を制御する。例えば、前記音楽情報配信サーバ１８のハードディスク１５６に設けられた人型映像データベース１６２には、前記アバタ１７６の頭部１７６ａ、胴部１７６ｂ、及び脚部１７６ｃに対応してそれぞれ複数の可変パーツ（取替可能なオプション）を適用するための情報が記憶されており、前記人型映像制御手段１７２は、斯かる複数の可変パーツを前記アバタ１７６の頭部１７６ａ、胴部１７６ｂ、及び脚部１７６ｃに選択的に適用し、図８に示すデフォルトのアバタ１７６を図１０に示すアバタ１７６のように種々の態様に変化させる。この図１０に示すアバタ１７６は、頭部１７６ａに可変パーツ「眼鏡」及び「シルクハット」が、胴部１７６ｂに可変パーツ「ブラックアンダーシャツ」及び「ネイビーブレザー」が、脚部１７６ｃに可変パーツ「クラシックスラックス」及び「ブラックシューズ」がそれぞれ適用された例を示している。
【００５０】
図７に示す人型映像管理手段１７４は、所定の入力装置による利用者の入力（選択）等に応じて前記アバタ１７６に関する種々の設定を行うと共に、その設定された情報を前記顧客別データベース１６４に顧客毎に記憶する管理を行う。すなわち、この人型映像管理手段１７４は、前記アバタ１７６の表示を制御する人型映像制御手段１７２の一部であるとも言える。斯かる人型映像管理手段１７４によるアバタ１７６の管理に際しての入力装置（入力端末）としては、前記音楽情報配信システム４における携帯電話機２０、第１のカラオケシステム６におけるカラオケ装置１２、第２のカラオケシステム８におけるカラオケ装置２４等が好適に用いられる。また、前記人型映像管理手段１７４によるアバタ１７６の管理に際しては、好適には、前記音楽情報配信システム４における携帯電話機２０の表示部１１０、第１のカラオケシステム６におけるカラオケ装置１０の映像表示装置３０、或いは第２のカラオケシステム８におけるカラオケ装置２４に接続された出力装置２６等に所定の映像が表示され、利用者はその映像を参照しつつ前記アバタ１７６を管理するための操作を行う。例えば図９は、前記カラオケ装置２４に接続された出力装置２６に表示される、前記アバタ１７６の頭部１７６ａに適用される可変パーツの選択画面を例示している。この図９に示すように、前記アバタ１７６の頭部１７６ａに適用される可変パーツは、前記音楽情報配信サーバ１８のハードディスク１５６における顧客別データベース１６４に記憶された頭部ポイントと引き換えに選択的に適用されるものであり、それぞれ対価となるポイントが定められている。この図９において眼鏡が選択された場合、図１１にて識別番号「００５６７」、氏名「山田一郎」の欄に例示するように頭部パーツ１にその眼鏡が記憶されると共に、頭部ポイントから眼鏡の対価である５０ポイントが減算される。ここで、頭部ポイントは音楽情報配信システム４の利用結果に対応して、胴部ポイントは第１のカラオケシステム６の利用結果に対応して、脚部ポイントは第２のカラオケシステム８の利用結果に対応して、それぞれ蓄積されるものであるため、前記音楽情報配信システム４の利用結果が前記アバタ１７６の頭部１７６ａに、前記第１のカラオケシステム６の利用結果が前記アバタ１７６の胴部１７６ｂに、前記第２のカラオケシステム８の利用結果が前記アバタ１７６の脚部１７６ｃに、それぞれ個別に反映さえることになる。このようにして、前記アバタ１７６の各部位すなわち頭部１７６ａ、胴部１７６ｂ、及び脚部１７６ｃに対応してそれぞれ単数乃至は複数の可変パーツが選択され、その可変パーツの情報が前記音楽情報配信サーバ１８のハードディスク１５６における顧客別データベース１６４に顧客別に記憶される。そして、利用端末からの要求等に応じてその顧客に対応する個別のアバタ１７６を随時読み出して前記人型映像制御手段１７２により出力することができるのである。
【００５１】
図１２は、前記人型映像制御手段１７２により出力されるアバタ１７６が前記第１のカラオケシステム６乃至は第２のカラオケシステム８により利用される様子を説明する図である。この図１２に示すように、前記第１のカラオケシステム６におけるカラオケ装置１２は、好適には、そのカラオケ装置１２によるカラオケ演奏に際して、前記ビデオミキサ３４等を介してそのカラオケ演奏に係る歌詞文字映像１７８の背面側レイヤに前記アバタ１７６を合成し、前記映像表示装置３０に背景映像として表示させる。また、カラオケ演奏の進行に従って前記人型映像制御手段１７２によりこのアバタ１７６を動作させてもよいし、カラオケ演奏を行う演奏者の動きに関する情報を所定のセンサ等により取得し、その動きを前記アバタ１７６に反映させる制御を行ってもよい。また、前記第２のカラオケシステム８におけるカラオケ装置２４では、前記ビデオボード９８等を介して斯かる制御が行われ、図１２に示すような映像がそのカラオケ装置２４に接続された出力装置２６に表示される。
【００５２】
図１３は、前記人型映像制御手段１７２により出力されるアバタ１７６が前記音楽情報配信システム４により利用される様子を説明する図である。この図１３に示すように、前記音楽情報配信システム４における携帯電話機２０は、前記映像表示制御手段１３６を介して前記表示部１１０に表示されるその携帯電話機２０を用いた前記音楽情報配信システム４の各種サービス案内画面において、それら各種サービスを選択させるための文字映像１８０と共に前記アバタ１７６をいわばマスコットとして表示させる。また、前記操作部１０８による入力操作等に応じて前記人型映像制御手段１７２によりこのアバタ１７６を動作させてもよいし、前記携帯電話機２０に備えられた図示しない撮像装置等により利用者の動きに関する情報を取得し、その動きを前記アバタ１７６に反映させる制御を行ってもよい。また、前記携帯電話機２０を用いた携帯カラオケの背景映像として前記アバタ１７６を表示させる態様も考えられる。
【００５３】
図１４は、前記音楽情報配信サーバ１８のＣＰＵ１４０による人型映像制御を説明するフローチャートであり、所定の周期で繰り返し実行されるものである。
【００５４】
先ず、ステップ（以下、ステップを省略する）Ｓ１において、着信メロディの配信が行われるか否か、すなわち所定の携帯電話機２０から着信メロディの配信要求があったか否かが判断される。このＳ１の判断が否定される場合には、Ｓ４の処理が行われるが、Ｓ１の判断が肯定される場合には、要求された着信メロディが前記ハードディスク１５６の着信メロディデータベース１６０から読み出されて要求元である携帯電話機２０へ配信された後、前記利用結果換算手段１７０の動作に対応するＳ２において、前記音楽情報配信システム４の利用結果としてのその着信メロディの配信結果が頭部ポイントに換算される。次に、Ｓ３において、要求元（配信先）の携帯電話機２０の識別番号に対応する顧客に関して前記顧客別データベース１６４に記憶された頭部ポイントが所定ポイント加算された後、Ｓ５以下の処理が実行される。Ｓ４の処理では、前記カラオケ装置１２、カラオケサーバ１６、又はカラオケ装置２４から利用結果通知が受信されたか否かが判断される。このＳ４の判断が否定される場合には、Ｓ５以下の処理が実行されるが、Ｓ４の判断が肯定される場合には、Ｓ２において、前記第１のカラオケシステム６又は第２のカラオケシステム８の利用結果が胴部ポイント又は脚部ポイントに換算され、Ｓ３において、利用結果通知に含まれる識別番号に対応する顧客に関して前記顧客別データベース１６４に記憶された胴部ポイント又は脚部ポイントが所定ポイント加算された後、Ｓ５において、前記カラオケ装置１２、携帯電話機２０、又はカラオケ装置２４等からアバタ管理入力が受信されたか否かが判断される。このＳ５の判断が否定される場合には、Ｓ９以下の処理が実行されるが、Ｓ５の判断が肯定される場合には、Ｓ６において、新たな可変パーツの購入操作があったか否かが判断される。このＳ６の判断が否定される場合には、Ｓ９以下の処理が実行されるが、Ｓ６の判断が肯定される場合には、Ｓ７において、購入された可変パーツの情報が前記ハードディスク１５６における顧客別データベース１６４に顧客別に記憶され、Ｓ８において、その顧客に対応して顧客別データベース１６４に記憶された頭部ポイント、胴部ポイント、及び脚部ポイントの何れかから可変パーツの購入に要したポイントが減算された後、Ｓ９において、前記カラオケ装置１２、携帯電話機２０、又はカラオケ装置２４等からアバタ表示要求が受信されたか否かが判断される。このＳ９の判断が否定される場合には、それをもって本ルーチンが終了させられるが、Ｓ９の判断が肯定される場合には、Ｓ１０において、アバタ表示要求に含まれる識別番号に対応する顧客に関して前記顧客別データベース１６４に記憶されたアバタ各部位の可変パーツの情報が読み出され、Ｓ１１において、Ｓ１０にて読み出された各部位の可変パーツの情報に基づいて前記アバタ１７６が形成されて出力された後、本ルーチンが終了させられる。以上の制御において、Ｓ１０及びＳ１１が前記人型映像制御手段１７２の動作に、Ｓ２、Ｓ３、Ｓ７、及びＳ８が前記人型映像管理手段１７４の動作に、それぞれ対応する。
【００５５】
このように、本実施例によれば、所定の映像表示装置に表示される簡易的な人型映像であるアバタ１７６を制御する人型映像制御手段１７２（Ｓ１０及びＳ１１）と、前記音楽情報配信システム４、第１のカラオケシステム６、及び第２のカラオケシステム８それぞれの利用結果をそのアバタ１７６に反映させる制御を行う人型映像管理手段１７４（Ｓ２、Ｓ３、Ｓ７、及びＳ８）とを、有することから、斯かる共通のアバタ１７６を設定することで前記音楽情報配信システム４、第１のカラオケシステム６、及び第２のカラオケシステム８の利用促進が実現される。すなわち、音楽情報配信システム４、第１のカラオケシステム６、及び第２のカラオケシステム８の利用を相補的に促進する連携システム１０を提供することができる。
【００５６】
また、前記人型映像管理手段１７４は、前記音楽情報配信システム４、第１のカラオケシステム６、及び第２のカラオケシステム８それぞれの利用結果を前記アバタ１７６における個別の部位に反映させる制御を行うものであるため、全体としての前記アバタ１７６をより充実したものとすべく、前記音楽情報配信システム４、第１のカラオケシステム６、及び第２のカラオケシステム８の相補的利用が一層促進されるという利点がある。
【００５７】
また、前記人型映像管理手段１７４は、前記音楽情報配信システム４、第１のカラオケシステム６、及び第２のカラオケシステム８それぞれの利用結果を前記アバタ１７６における個別の部位に適用される可変パーツの選択に反映させる制御を行うものであるため、前記アバタ１７６の各部位に適用される可変パーツをより充実したものとすべく、前記音楽情報配信システム４、第１のカラオケシステム６、及び第２のカラオケシステム８の相補的利用が一層促進されるという利点がある。
【００５８】
また、前記音楽情報配信システム４、第１のカラオケシステム６、及び第２のカラオケシステム８それぞれの利用結果をポイントに換算する利用結果換算手段１７０（Ｓ２）を有し、前記人型映像管理手段１７２は、その利用結果換算手段１７０により換算されるポイントと引き換えに前記アバタ１７６を変化させる制御を行うものであるため、前記音楽情報配信システム４、第１のカラオケシステム６、及び第２のカラオケシステム８それぞれの利用結果を実用的な態様で前記アバタ１７６に反映させられるという利点がある。
【００５９】
また、前記利用結果換算手段１７０は、前記音楽情報配信システム４における音楽情報としての前記着信メロディ情報のダウンロード数に応じて前記ポイントを加算するものであるため、前記音楽情報配信システム４の利用結果を実用的な態様で前記アバタ１７６に反映させられるという利点がある。
【００６０】
また、前記利用結果換算手段１７０は、前記第１のカラオケシステム６或いは第２のカラオケシステム８における前記カラオケ演奏曲の演奏曲数に応じて前記ポイントを加算するものであるため、前記第１のカラオケシステム６或いは第２のカラオケシステム８の利用結果を実用的な態様で前記アバタ１７６に反映させられるという利点がある。
【００６１】
また、前記利用結果換算手段１７０は、前記第１のカラオケシステム６或いは第２のカラオケシステム８における前記カラオケ演奏曲の演奏時間に応じて前記ポイントを加算するものであるため、前記第１のカラオケシステム６或いは第２のカラオケシステム８の利用結果を実用的な態様で前記アバタ１７６に反映させられるという利点がある。
【００６２】
また、前記人型映像制御手段１７２は、前記音楽情報配信システム４の構成要素としての映像表示装置である前記携帯電話機２０の表示部１１０に前記アバタ１７６を表示させるものであるため、前記音楽情報配信システム４、第１のカラオケシステム６、及び第２のカラオケシステム８それぞれの利用結果を反映する前記アバタ１７６をその音楽情報配信システム４において利用できるという利点がある。
【００６３】
また、前記人型映像制御手段１７２は、前記第１のカラオケシステム６の構成要素としての映像表示装置である前記カラオケ装置１２の映像表示装置３０或いは第２のカラオケシステム８の構成要素としての映像表示装置である前記カラオケ装置２４と接続された出力装置２６に前記アバタ１７６を表示させるものであるため、前記音楽情報配信システム４、第１のカラオケシステム６、及び第２のカラオケシステム８それぞれの利用結果を反映する前記アバタ１７６をその第１のカラオケシステム６或いは第２のカラオケシステム８において利用できるという利点がある。
【００６４】
以上、本発明の好適な実施例を図面に基づいて詳細に説明したが、本発明はこれに限定されるものではなく、更に別の態様においても実施される。
【００６５】
例えば、前述の実施例において、前記利用結果換算手段１７０、人型映像制御手段１７２、及び人型映像管理手段１７４は、前記音楽情報配信サーバ１６のＣＰＵ１４０に機能的に備えられたものであったが、本発明はこれに限定されるものではなく、これらの制御機能は、例えば前記カラオケサーバ１８のＣＰＵ１４０に設けられたものであってもよい。また、前記人型映像制御手段１７２が表示端末としての前記カラオケ装置１２、携帯電話機２０、及びカラオケ装置２４等の側に機能的に備えられたものであってもよい。この場合、好適には、前記人型映像データベース１６２もまた表示端末の側の記憶装置に設けられ、前記音楽情報配信サーバ１６のハードディスク１５６に設けられた顧客別データベース１６４から各部位の可変パーツの情報が読み出され、斯かる情報に基づいて前記カラオケ装置１２、携帯電話機２０、及びカラオケ装置２４等の側で前記アバタ１７６の表示制御が行われる。また、前記顧客別データベース１６４は必ずしも前記音楽情報配信サーバ１６に備えられたものでなくともよい。すなわち、所定の映像表示装置に表示される前記アバタ１７６を制御すると共に、前記音楽情報配信システム４、第１のカラオケシステム６、及び第２のカラオケシステム８それぞれの利用結果を前記アバタ１７６に反映させる制御を行い得る構成であれば、前述した制御手段及びデータベースはどのような装置に設けられたものであっても構わない。
【００６６】
また、前述の実施例において、前記人型映像管理手段１７２は、前記音楽情報配信システム４、第１のカラオケシステム６、及び第２のカラオケシステム８それぞれの利用結果を前記アバタ１７６における個別の部位に適用される可変パーツの選択に反映させる制御を行うものであったが、それらの利用結果を反映させて前記アバタ１７６各部位を子供から大人に成長させるといった制御を行うものであってもよい。また、前記アバタ１７６がとり得る表情のバリエーションを増やす等の制御を行うものであってもよく、前記人型映像管理手段１７２によるアバタ１７６の制御には様々な態様が考えられる。
【００６７】
また、前述の実施例において、前記アバタ１７６は、前記携帯電話機２０の表示部１１０、前記カラオケ装置１２の映像表示装置３０、或いは前記カラオケ装置２４と接続された出力装置２６に表示されるものであったが、例えば、一般的なパーソナルコンピュータによるチャットや、遠隔地間で撮像装置を用いて行われるテレビ会議等、様々な目的で用いられ得るものである。すなわち、前記音楽情報配信システム４、第１のカラオケシステム６、及び第２のカラオケシステム８以外の用途で利用されるものであっても構わない。
【００６８】
また、前述の実施例では、前記音楽情報配信システム４、第１のカラオケシステム６、及び第２のカラオケシステム８それぞれの利用結果を前記アバタ１７６に反映させる制御を行う態様について説明したが、前記音楽情報配信システム４及び第１のカラオケシステム６それぞれの利用結果前記アバタ１７６に反映させる制御を行うもの、或いは前記音楽情報配信システム４及び第２のカラオケシステム８それぞれの利用結果を前記アバタ１７６に反映させる制御を行うものであってもよい。また、前記音楽情報配信システム４及び前記携帯電話機２０を用いたカラオケシステムそれぞれの利用結果を前記アバタ１７６に反映させる制御を行うもの等、本発明の実施の態様としては様々なものが考えられる。
【００６９】
また、前述の実施例では、人間を模したアバタ１７６を図１０等に例示したが、前記人型映像制御手段１７２の制御対象は、必ずしも人間を模したアバタに限られず、ロボット、後脚で直立する犬、二足歩行する恐竜等、人型の映像としてのアバタを広く制御対象とするものであることは言うまでもない。
【００７０】
その他、一々例示はしないが、本発明はその趣旨を逸脱しない範囲内において種々の変更が加えられて実施されるものである。
【図面の簡単な説明】
【００７１】
【図１】本発明の一実施例である音楽情報配信システムとカラオケシステムとの連携システムについて説明する図である。
【図２】図１の連携システムに含まれる第１のカラオケシステムにおけるカラオケ装置の構成を説明する図である。
【図３】図１の連携システムに含まれる第２のカラオケシステムにおけるカラオケ装置の構成を説明する図である。
【図４】図１の連携システムに含まれる音楽情報配信システムにおける携帯電話機の構成を説明する図である。
【図５】図１の連携システムに含まれるカラオケサーバの構成を説明する図である。
【図６】図１の連携システムに含まれる音楽情報配信サーバの構成を説明する図である。
【図７】図１の連携システムに備えられた制御機能の要部を説明する機能ブロック線図である。
【図８】図１の連携システムの制御対象である簡易的な人型映像であるアバタを例示する図である。
【図９】図３のカラオケ装置に接続された出力装置に表示される、アバタの頭部に適用される可変パーツの選択画面を例示する図である。
【図１０】図１の連携システムの制御対象であるアバタに複数種類の可変パーツが適用された状態を例示する図である。
【図１１】図６の音楽情報配信サーバのハードディスクに設けられた顧客別データベースの記憶内容を例示する図である。
【図１２】図１の連携システムの制御対象であるアバタが第１のカラオケシステム乃至は第２のカラオケシステムにより利用される様子を説明する図である。
【図１３】図１の連携システムの制御対象であるアバタが音楽情報配信システムにより利用される様子を説明する図である。
【図１４】図６の音楽情報配信サーバのＣＰＵによる人型映像制御を説明するフローチャートである。
【符号の説明】
【００７２】
４：音楽情報配信システム
６：第１のカラオケシステム
８：第２のカラオケシステム
１０：連携システム
２０：携帯電話機
２６：出力装置（映像表示装置）
３０：映像表示装置
１１０：表示部（映像表示装置）
１７０：利用結果換算手段
１７２：人型映像制御手段
１７６：アバタ（人型映像）
【図１】
0004468275.tif 000002
【図２】
0004468275.tif 000003
【図３】
0004468275.tif 000004
【図４】
0004468275.tif 000005
【図５】
0004468275.tif 000006
【図６】
0004468275.tif 000007
【図７】
0004468275.tif 000008
【図８】
0004468275.tif 000009
【図９】
0004468275.tif 000010
【図１０】
0004468275.tif 000011
【図１１】
0004468275.tif 000012
【図１２】
0004468275.tif 000013
【図１３】
0004468275.tif 000014
【図１４】
0004468275.tif 000015